(57)【要約】【課題】本発明は回転力と往復運動の併用で野菜を収穫し、収穫した野菜を一まとめにしようとする野菜収穫装置を提供しようとするものである。【解決手段】回転円板（１）同士を回転させ、同時に回転円板（１）を往復運動させる事によって収穫野菜を挟みながら回転力で抜き取ったり、切除刃（１０）によって収穫野菜を切り離し集め部（７）によって処理する。主に電力等の力で解決する事を特徴とする野菜収穫装置。【選択図】図１
2004350661.tif 000002
【特許請求の範囲】
【請求項１】
回転ギア（２）やベアリング（３）状に回転円板（１）を連結し、その回転円板（１）が回転しながら往復運動を起こす野菜収穫装置。
【請求項２】
切除刃（１０）を設けた事を特徴とする請求項１記載の野菜収穫装置。
【請求項３】
落とし部（６）と集め部（７）を設けた事を特徴とする請求項１または請求項２記載の野菜収穫装置。
【請求項４】
回転円板（１）の一部や隣に隣接するように、弾力部（４）を設けた事を特徴とする請求項１または請求項２または請求項３記載の野菜収穫装置。
【発明の詳細な説明】
【０００１】
【発明に属する技術分野】
この発明は野菜を収穫する為回転円板（１）を電動やエンジン等で回転させ収穫野菜を抜いたり挟んだりして上方に持ち上げ、さらにその収穫野菜を切除刃（１０）によって分離して容易に収穫しようとするものである。
【０００２】
【従来の技術】
従来野菜の収穫を行う時挟みながら抜くという機種がなかった為青野菜や根野菜の収穫を手作業で行うのが主であった。
これらを収穫する作業は大変な重労働である。
【０００３】
【発明が解決しようとする課題】
青野菜や根野菜等の収穫はほとんどが根元をつかんで抜いたり切除したりして収穫野菜を収穫する。本発明はこれらの野菜を収穫する動作を電動で行い種々の野菜収穫を短時間に楽に作業が行える事によって農家の重労働の作業から解放する装置を提供しようとするものである。
【０００４】
【課題を解決する為の手段】
（イ）    回転ギア（２）やベアリング（３）状に連結される回転円板（１）とから成り、収穫された野菜を後方に押しやる落とし部（６）を設け、その後方に集め部（７）から成る野菜収穫装置である。
（ロ）    次に実施時の本発明の形態について、図を参照しつつ説明すれば図１は上から見た平面図であり一部透視図である。回転ギア（２）やベアリング（３）状に連結された回転円板（１）同士が回転しカムによって図左側の回転円板（１）が往復運動を起こし、野菜をつかみながら後方に導かれ回転円板（１）の下側に収穫野菜を切り離し切除刃（１０）とさらにその後方に取り込まれた野菜などを収容する為の集め部（７）が形成される。集め部（７）の両側に車（９）を、さらにこれらの装置を誘導するハンドル（８）が設けられている。
（ハ）    図２は本発明の落とし部（６）で地面に近い場所に設けて余分な土を落とすハケ状を表した図である。
【０００６】
本発明を構成する回転円板（１）を回転させる為に回転ギア（２）ベアリング（３）状に連結する（請求項１記載）。
（イ）    回転円板（１）を回転ギア（２）やベアリング（３）状等の回転させる装置に着脱自在に形成したりまたこれらを一体化する事も考えられる。
（ロ）    回転ギア（２）やベアリング（３）状等から連結するように回転軸（５）につけた凹凸や部材または別に回転ギア（２）やベアリング（３）状に凹凸の部材等を設けて、これらの部材によって回転円板（１）は、回転する事も考えられる。尚回転の圧力によっても回転円板（１）を回転させる事も可能である。
（ハ）    尚、回転円板（１）を作動させる方法は回転ギア（２）、ベアリング（３）状はもちろんベルト、チェーン、電動や磁気等を利用したりして、回転はもちろん半回転（必要角度回転）や上下運動、左右運動も考えられる。
【０００７】
本発明を構成する回転円板（１）は収穫野菜を挟む（つかむ）為の目的を果たす為に必要な部位である（請求項１記載）。
（イ）    収穫野菜によって大きさ、形状は様々であるので目的に合った形状が望ましい。回転円板（１）の形状は単数で成り立つとは限らず、複数以上の部材を組み合わせたりする事も考えられ、挟む部位全体を回転円板（１）と指称する。
（ロ）    収穫野菜は硬い物もあれば傷つき易い物まで色々あり、これらの収穫野菜を損傷させない材質を使うのが望ましい。また挟んだ野菜をしっかりつかむ為滑りにくい部材等をつける事も考えられる。
（ハ）    野菜を挟み易くするため、回転円板（１）の表面、先端また側面を折曲させたり溝を入れたり凹凸の部材をつけたりする事も考えられる。また進行方向をより広く開かせ収穫野菜が入り易いように回転円板（１）の先端を外方向に折曲させたり回転円板（１）全体の先端側が広く開いた状態等にする為にバネ等を利用したりする事も考えられる。
（ニ）    回転円板（１）同士を回転軸（５）や他の部材で連結させても良く回転円板（１）同士を連続的に並べて使用する事も可能であり、回転ギア（２）やベアリング（３）を中心に設けて回転円板（１）または回転円板（１）同士をこれらの左右両側に設ける構成にしても良い。また回転円板（１）は挟む為に複数枚以上必要とするが単数のみの作動も可能である。
（ホ）    野菜収穫ばかりでなく、雑草を抜くことも考えられる。その場合は挟むばかりでなく根元を引っ掛けて抜くように回転円板（１）の表面、側面に根元を引っ掛け易い突起状あるいは部材を設けても良い。また回転円板（１）の形状を鋸歯状、クワ状、湾曲された板状等、引っ掛け易い形状にする事でも良い。尚、引っ掛け部分の一部や回転円板（１）の一部に切除刃（１０）を設けると抜け切れない根元や根を切除できる。
（ヘ）    ネジ止めや溝、部材等を使って回転円板（１）の高さ、幅を調節自在にする。
【０００８】
本発明を構成する収穫野菜をつかむ為に回転円板（１）が、往復運動する構成から成る（請求項１記載）。
（イ）    カム、電動、磁気、または空圧（水圧、油圧）等を利用して往復運動させる事によって収穫野菜をつかみ収穫作業が可能になる（図１）。回転円板（１）同士が往復運動する構成にしても良く、また片方だけを往復運動する事でも目的は果たす。
（ロ）    回転円板（１）同士の間を回転円板（１）が往復する機能にする事も考えられる。
（ハ）    収穫野菜の種類に応じて大きさや幅等それぞれ違うので多様化出来るようにカム等の往復させる装置の周辺に往復幅を調節出来るように設けても良い。また、別に突起状を設けその突起状によって往復するようにする事も考えられる。
（ニ）    尚、雑草等の処理や収穫野菜によっては往復運動をしなくても目的を果たす場合もあり、往復運動は目的に応じて必要としない場合もある。
（ホ）    尚、コンピューター等を設置し収穫野菜を識別する設備、つまり回転円板（１）を挿入する位置や間隔そして収穫野菜の選定を機械に任せるといった方法も考えられる。
【０００９】
本発明を構成する弾力部（４）を回転円板（１）の一部または隣接するように設ける（請求項４記載）。
（イ）    収穫野菜によっては、損傷し易い野菜があり収穫で損傷を少なくし商品価値を下げないように回転円板（１）の一部に弾力性のある部材をつけたり凹凸をつけたりする事も考えられる。
（ロ）    回転円板（１）の近辺に弾力部材やバネ等を利用して弾力部（４）を設ける事も考えられる。また回転円板（１）自信を弾力のある材質や形状にする事も考えられるが弾力をつけさせる方法はこれらに限らない。
（ハ）    雑草取りの場合や装置に応じては弾力部（４）は必須とはならない
【００１０】
本発明を構成する切除刃（１０）を回転円板（１）の外側に設ける（請求項２記載）。
（イ）    収穫した野菜を分離する為に切除刃（１０）を地面に近い場所に設ける。その形状はバリカン状や回転刃等にする事も考えられる。またカッター状の切除刃（１０）を設けても良くその形状は板状や線状に限らずＶ字型にする事も考えられ、尚その切除刃を往復させるとより確実に切除できる。尚、設置位置は用途に応じては切除刃（１０）は土中または集め部（７）や落とし部（６）よりでも良い。
（ロ）    回転円板（１）の表面や側面の一部に切除刃（１０）を設ける事も考えられる。
（ハ）    収穫野菜によっては切除刃（１０）は必須とはならない。
【００１１】
本発明を構成する落とし部（６）を回転円板（１）の端部の内側に設ける（請求項３記載）。
（イ）    収穫野菜を後方（集め部（７））に押しやる為落とし部（６）を設ける。その形状は回転円板（１）の内部よりの端部が回転時に余裕を持って通過し回転し易い形態、位置が望ましくその形状は収穫野菜によっては収穫した野菜を受け取りながら後方にやるようにしても良く、野菜を単に転がす板状でも良くまたハケ状にする事も考えられ、目的用途に応じた形状にすると良い。落とし部（６）は事後の収穫動作を有意義にする為に取り除くという役割もかねる事も考えられる。尚、落とし部（６）をつけずに回転円板（１）のすぐ後方に連結するように集め部（７）を設ける構成にする事も考えられる。
（ロ）    上記とは別に落とし部（６）は、後方に押しやるばかりでなく収穫野菜の土を落とす為地面近くに設置する事も考えられる。その形状は回転円板（１）の回転時または回転及び往復時に通過の邪魔にならないようにクシ状やハケ状を設ける（図２）。例として大根や人参等の根野菜等を土中から抜き出す時にそのハケ状を通過時に余分な土が取り除かれるようにする。余分な土を落とす部材はハケ状ばかりとは限らず形状も（図２）とは限らない。風圧や水圧で土を落とす方法も考えられる。
（ハ）    回転ギア（２）等を利用して自動的に回転させ強引に役割を遂行させる事も考えられる。
【００１２】
本発明を構成する回転円板（１）の後方に収穫野菜を集める集め部（７）を設ける（請求項３記載）。
（イ）    回転円板（１）によって収穫した野菜をコンベア、ベルト、チェーン、歯車等を利用して次から次へと後方に運ぶ事が考えられる。
（ロ）    また収穫野菜によっては倒れた事後の処理が面倒な野菜もありその場合倒れないように壁状を設けその壁状も後方にと移動できるように前記（イ）の一部に設ける事も考えられる。少な目の収穫は単に箱体にしても良く、その箱体の後方を低くする事でも良くその壁状や箱体に戸車や滑り易い部材をつける事でも良い。
【００１３】
本発明を構成する装置を手動にする事も考えられる。車（９）に凹凸やスパイク状を設けて、この車（九）の回転に回転ギア（２）やベアリング（３）状が連動するようにすると良い。また手動で回転ギア（２）やベアリング（３）状を回転させる事も考えられる。これらの装置を移動させるハンドル（８）を設けると作業が楽である。
【００１４】
【発明の効果】
重労働である野菜の収穫を電動やエンジン等の動力でこれらの装置を作動させ土中の野菜や青野菜等の収穫ばかりでなく雑草の草取りまで広範囲に使用可能であり、トラクターの一部にこの装置を取り付けたり、目的や用途に応じて装置全体の大きさを変えたり、また電動ばかりでなく手動で本装置を作動させ、広範囲に使用することが出来る。
【図面の簡単な説明】
【図１】本発明の上から見た平面図、一部透視図
【図２】本発明の地面に近い場所に設けた落とし部（６）の平面図
【符号の説明】
１．  回転円板
２．  回転ギア
３．  ベアリング
４．  弾力部
５．  回転軸
６．  落とし部
７．  集め部
８．  ハンドル
９．  車
１０．切除刃
【図１】
2004350661.tif 000003
【図２】
2004350661.tif 000004